(57)【特許請求の範囲】
【請求項１】
内部に液体を貯留し且つ加熱時に蒸発するスチームを吹き出すスチーム発生部と、
前記スチーム発生部の近傍において前記スチーム発生部に光が当たる位置に配置されたランプと、を備え、
前記ランプの近傍に配置され、前記ランプから前記スチーム発生部へ直接向かわない光を前記スチーム発生部へ向けて反射するリフレクタと、
前記ランプを第１焦点とするとともに前記スチーム発生部を第２焦点とするリフレクタをさらに備えることを特徴とする髪ケア装置
【請求項２】
請求項１に記載の髪ケア装置であって、
前記ランプは、赤外線を発光する赤外線ランプであることを特徴とする髪ケア装置。
【発明の詳細な説明】
【技術分野】
【０００１】
本発明は、髪ケア装置に関する。
【背景技術】
【０００２】
特許文献１に開示される従来の髪ケア装置としてのヘアドライヤーは、吸込口および吹出口を有する風洞ケースと、前記風洞ケース内に配置された送風用ファンと、前記風洞ケース内の吹出口近傍に配置され且つ吹出口に向けて複数の小孔が開口するスチーム生成管と、スチーム生成管の外周に巻かれたヒータと、風洞ケースの握り部内に配置され前記スチーム生成管と導水管により接続された水タンクと、を備えて構成されている。
【０００３】
この特許文献１のヘアドライヤーによれば、スイッチをＯＮして送風ファンとヒータとを作動させると、吸込口から吸い込まれた空気は、ヒータにより加熱されて吹出口から熱風として吹き出される。この熱風により、霧吹き現象と同様に水タンク内の水は導水管を上昇してスチーム生成管に送られる。スチーム生成管に送られた水は、当該スチーム生成管の外周に巻装されたヒータによって加熱されてスチームになり、スチーム生成管から吹き出されて、熱風とともに吹出口から吹き出される。そのため、スチームを含んだ熱風が得られるため、整髪を容易にすることができる。
【特許文献１】実開昭４７−１６３０６公報
【発明の開示】
【発明が解決しようとする課題】
【０００４】
しかしながら、前記従来の髪ケア装置にあっては、スチーム生成管にヒータが直接外装されているため、スチーム生成管が必要以上に加熱されることとなってしまう。
【０００５】
本発明は、このような従来技術をもとに為されたものであって、スチーム発生部が過度に加熱されることを回避できる髪ケア装置の提供も目的とする。
【課題を解決するための手段】
【０００６】
請求項１に記載の発明は、髪ケア装置であって、内部に液体を貯留し且つ加熱時に蒸発するスチームを吹き出すスチーム発生部と、前記スチーム発生部の近傍において前記スチーム発生部に光が当たる位置に配置されたランプと、を備え、前記ランプの近傍に配置され、前記ランプから前記スチーム発生部へ直接向かわない光を前記スチーム発生部へ向けて反射するリフレクタと、前記ランプを第１焦点とするとともに前記スチーム発生部を第２焦点とするリフレクタをさらに備えることを特徴とするものである。
【０００７】
請求項２に記載の発明は、請求項１に記載の髪ケア装置であって、前記ランプは、赤外線を発光する赤外線ランプであることを特徴とするものである。
【発明の効果】
【０００９】
請求項１に記載の発明によれば、スチーム発生部が当該スチーム発生部と離間するランプによって温められるため、過剰に加熱されることがなくなる。これにより、スチーム発生部が電熱線ヒータで直接加熱される構造とは異なり、スチーム発生部を適度な温度で加熱できる。また、リフレクタにより、ランプから発散されるエネルギーを無駄なくスチーム発生部に与えることができる。
【００１０】
請求項２に記載の発明によれば、前記ランプが赤外線ランプであるため、波長の長い電磁波を利用することで、スチーム発生部を内部から温めることでスチーム発生部の内部の液体を直接的に加熱することができ、エネルギー効率にすぐれる。
【００１２】
なお、本発明の髪ケア装置は、例えばヘアドライヤー、ヘアアイロン、ヘアブラシやその他の髪ケア装置に利用することができる。
【００１３】
例えば、髪ケア装置がヘアドライヤーである場合には、風洞を内部に形成する風洞ケースと、風洞内に配置されたファンと、を備え、スチーム発生部およびランプを風洞ケース内または外に取り付け、スチーム発生部のスチーム吹出口を風洞ケース内または外に設けることで適用できる。
【００１４】
また、髪ケア装置がヘアアイロンである場合には、互いに回転自在に装着されて狭持自在に設けられた一対の胴部と、一対の胴部の狭持面において毛髪を挟み込んで加熱する一対のアイロン板と、を備え、一対の胴部の少なくとも一方に、スチーム発生部とランプを取り付け、スチーム発生部のスチーム吹出口をアイロン板の近傍に設けられることで適用できる。
【００１５】
また、髪ケア装置がヘアブラシである場合には、胴部と、前記胴部に固定されたブラシ部（ブリッスル部）と、を備え、前記胴部にスチーム発生部とランプを取り付け、スチーム発生部のスチーム吹出口を前記ブラシ部の近傍に設けることで適用できる。
【発明を実施するための最良の形態】
【００１６】
以下、本発明の実施形態を図面を参照しつつ説明する。
【００１７】
（第１実施形態）図１は本発明の第１実施形態にかかる髪ケア装置としてのヘアドライヤーを示す。図１（ａ）は第１実施形態のヘヤドライヤーの断面図であり、図１（ｂ）は同ヘアドライヤーのスチーム発生部の正面図である。
【００１８】
（構成）
本実施形態にかかる髪ケア装置としてのドライヤー１は、送風ユニット２と、当該送風ユニット２に固定的または回転自在に取り付けられたグリップ部２１と、を備えて構成されている。
【００１９】
送風ユニット２は、内部に風洞（送風路）を形成する略円筒状の風洞ケース３と、風洞内に配置されたファンユニット５およびランプ７およびスチーム発生部９と、を備えて構成されている。このとき、上流側から順番にファンユニット５、ランプ７、スチーム発生部９が配置されている。
【００２０】
ファンユニット５は、風洞ケース３の上流端の吸込口３ｂの近傍に設けられている。このファンユニット５は、風洞ケース３に図示せぬリブなどの支持部を介して固定されたファンモータ５ｍと、ファンモータ５ｍの出力軸に取り付けられてファンモータ５ｍによって回転駆動するファン５ｆと、を備えて構成されている。
【００２１】
風洞ケース３の吹出口３ｃの略中央部には、ランプ７とスチーム発生部９とが配置されている。これらランプ７およびスチーム発生部９は、風洞ケース３に図示せぬリブなどの支持部によって支持されている。
【００２２】
ランプ７は、スチーム発生部９の上流側において当該スチーム発生部９から離間して配置されているが、当該スチーム発生部９の近傍においてスチーム発生部９に対して光りが当たるように配置されている。なお、本実施形態のランプ７は、遠赤外線ランプである。
【００２３】
ランプ７が点灯すると、ランプ７からの光でスチーム発生部９が温められ、スチーム発生部９内に貯留された液体が蒸発してスチームとなり、当該スチーム発生部９のスチーム吹出口１３から吹き出されるようになっている。スチーム吹出口１３は例えば液体を通さず気体を通過させる素材（例えば透湿防水シートなど）で覆われており、スチーム発生部９内の液体貯留室１１内の液体がスチーム吹出口１３から漏れ出さないようになっている。
【００２４】
スチーム発生部９には、栓１７で開閉自在な注水部１５が設けられており、この注水部１５を通じて、液体を液体貯留室１１に注水できるようになっている。
【００２５】
ドライヤー１のグリップ部２１には、ファンユニット５およびランプ７のＯＮ／ＯＦＦを操作する図示せぬスイッチが設けられており、スイッチをＯＮすると、ファンユニット５およびランプ７が作動する。すると、ファンユニット５によって吸込口３ｂから風洞内に空気が吸い込まれ、吸い込まれた空気は、ランプ７で加熱されて熱風となり、風洞ケース３の吹出口３ｃから吹き出され、毛髪に吹き付けられる。このとき、風洞の吹出口３ｃから吹き出される熱風に混じって、スチーム発生部９からスチームが吹き出され、毛髪に吹き付けられることとなる。
【００２６】
（効果）
このような本実施形態のヘアドライヤー１によれば、以下のような効果が得られる。
【００２７】
本実施形態のヘアドライヤー１は、ランプ７でスチーム発生部９を加熱して、スチーム発生部９のスチーム吹出口１３からスチームを吹き出すことができるため、加湿した空気を吹き出すことができ、整髪を容易にすることができる。
【００２８】
また本実施形態のヘアドライヤー１では、スチーム発生部９が当該スチーム発生部９と離間するランプ７によって温められるため、当該スチーム発生部９が過剰に加熱されることがなくなる。これにより、スチーム発生部９が電熱線ヒータで直接加熱される構造とは異なり、スチーム発生部９を適度な温度で加熱できる。結果、エネルギー無駄が生じずエネルギー効率に優れるとともに、スチーム発生部の耐熱性を高くする必要がなくなる。
【００２９】
また本実施形態のヘアドライヤー１は、ランプ７が遠赤外線ランプであるため、波長の長い電磁波を利用することで、スチーム発生部９を内部から温めることでスチーム発生部９内の液体を直接に加熱でき、エネルギー効率にすぐれる。
【００３０】
また、ランプ７の光の強さを調整するボリュームなどを設けることによって、スチーム量を容易に調節することができる。
【００３１】
次に、他の実施形態について説明する。なお、以下の説明において既に説明した構成については同一符号を付して、重複する説明を省略する。
【００３２】
（第２実施形態）
図２は第２実施形態の髪ケア装置としてのヘアドライヤー１を示す。
【００３３】
第２実施形態のヘアドライヤー１は、リフレクタ２５、２７を備える点で、第１実施形態と異なる。このリフレクタ２５、２７は、ランプ７の近傍に配置され、ランプ７からスチーム発生部９へ向けて直接照射されない光をスチーム発生部９へ向けて反射するものである。
【００３４】
一方のリフレクタ２５は、図２に示すように、ランプ７を第１焦点とするともにスチーム発生部９を第２焦点とする放物線状の断面形状をしている。また、他方のリフレクタ２７は、風洞ケース３の内周面に嵌合された円筒形状をしている。
【００３５】
このような第２実施形態によれば、第１実施形態の作用効果に加え、リフレクタ２５、２７によってランプ７から放射されるエネルギーを無駄なくスチーム発生部９に与えることができ、エネルギー効率に優れる。
【００３６】
（第３実施形態）
図３〜図５は第３実施形態の髪ケア装置を示す図である。
【００３７】
本実施形態の髪ケア装置はヘアアイロンである点で、第１、２実施形態と異なる。本実施形態のヘアアイロン１００は、図３、４に示すように、互いに回転自在に装着されて狭持自在に設けられた一対の胴部１０１、１０３と、一対の胴部１０１、１０３の狭持面において髪を挟み込んで加熱する一対のアイロン板１０１ｂ、１０３ｂと、少なくとも一方のアイロン板１０１ｂ、１０３ｂを加熱する図示せぬヒータと、備えて構成されている。
【００３８】
一対の胴部１０１、１０３の一方（この例では胴部１０１）には、図５に示すように、内部にスチーム発生部９と、ランプ７と、が配置されている。胴部１０１の外壁のうちアイロン板１０１ｂの近傍には、スチーム発生部９のスチーム吹出口１３を露出させる吹出口１０５が開口している。また、胴部１０１の側面には、スイッチ１０７が設けられており、スイッチ１０７をＯＮすると、ランプ７が点灯してスチーム発生部９が温められてスチーム吹出口１３からスチームが吹き出される。
【００３９】
そのため、このようなヘアアイロン１００によれば、一対の胴部１０１、１０３に巻き取った髪に対してスチームを吹き出すことができ、髪を加湿しながらウエーブをかけたり癖毛を直したりできるため、整髪が容易となる。
【００４０】
このとき、スチーム発生部９は電熱線ヒータで直接加熱される構造ではないため、スチーム発生部９を適度な温度で加熱でき、スチーム発生部９の耐久年数を長くすることができる。
【００４１】
また、ランプ７の光の強さを調整するボリュームなどを設けることによって、スチーム量を容易に調節することができる。
【００４２】
（第４実施形態）
図６は第４実施形態の髪ケア装置を示す図である。
【００４３】
本実施形態の髪ケア装置はヘアブラシ２００である点で、第１〜３実施形態と異なる。
【００４４】
本実施形態のヘアブラシ２００は、使用者が把持可能な胴部２０１と、胴部２０１に固定され毛髪をブラッシング自在なブラシ部（ブリッスル部）２０３と、を備えて構成されている。
【００４５】
胴部２０１内には、スチーム発生部９と、ランプ７と、電池２０９、が配置されており、胴部１０１のうちブラシ部２０３の中央部に、スチーム発生部９のスチーム吹出口１３が露出している。
【００４６】
胴部２０１の側面にはスイッチ２０５が設けられており、また胴部２０１のスチーム吹出口１３の近傍にはスイッチ２０５のＯＮ・ＯＦＦを表示する電源ランプ２１１が設けられている。スイッチ２０５をＯＮすると、電源ランプ２１１が点灯するとともに、スチーム発生部９を加熱するためのランプ７が点灯して、スチーム発生部９の温度上昇に応じてスチームが吹き出される。
【００４７】
このようなヘアブラシ２００によれば、毛髪にブラッシングをかけながらスチームを吹き出すことができるため、整髪が容易となる。このとき、スチーム発生部９は電熱線ヒータで直接加熱される構造ではないため、スチーム発生部９を適度な温度で加熱でき、スチーム発生部９の耐久年数を長くすることができる。また、ランプ７の光の強さを調整するボリュームなどを設けることによって、スチーム量を容易に調節することができる。
【００４８】
なお本発明の髪ケア装置は上述の実施形態に例をとって説明したが、これら実施形態に限定解釈されるべきではなく本発明の要旨を逸脱しない範囲で他の実施形態を採用することができる。例えば、ヘアドライヤー、ヘアアイロン、ヘアブラシに限られることなく、その他の髪ケア装置にあっても本発明を適用することができる。
【図面の簡単な説明】
【００４９】
【図１】図１は本発明の第１実施形態の髪ケア装置としてのヘアドライヤーを示す図であって、（ａ）は断面図、（ｂ）は（ａ）中のスチーム発生部の正面図。
【図２】図２は第２実施形態の髪ケア装置としてのヘアドライヤーを示す断面図。
【図３】図３は第３実施形態の髪ケア装置としてのヘアアイロンを示す斜視図。
【図４】図４は図３のヘアアイロンの側面図。
【図５】図５は第４中のＸ−Ｘ断面図。
【図６】図６は第４実施形態の髪ケア装置としてのヘアブラシを示す図であって、（ａ）は正面図、（ｂ）は断面図。
【符号の説明】
【００５０】
１…ヘアドライヤー（髪ケア装置）
７…ランプ
９…スチーム発生部
１１…液体貯留室
１３…スチーム吹出口
２５…リフレクタ
２７…リフレクタ
１００…ヘアアイロン（髪ケア装置）
２００…ヘアブラシ（髪ケア装置）
【図１】
0004980850.tif 000002
【図２】
0004980850.tif 000003
【図３】
0004980850.tif 000004
【図４】
0004980850.tif 000005
【図５】
0004980850.tif 000006
【図６】
0004980850.tif 000007